(57)【特許請求の範囲】
【請求項１】
下部前面側に受け部材が設けられた遊技機本体と、下部背面側に垂れ防止部材が設けられた前面扉とを備え、前記前面扉が前記遊技機本体の前方にヒンジ機構を介して開閉可能に軸支されると共に、この前面扉の閉鎖時に前記垂れ防止部材が前記受け部材に支持されるようになっている遊技機において、
前記垂れ防止部材が突出部を有する合成樹脂製の差し込み体と接触片を有する金属製の板ばねとで構成され、前記接触片を前記突出部の底面に設けた開口から下方へ突出させると共に、前記受け部材がグランドに接続された板金製の接地板からなり、
前記前面扉の閉鎖時に、前記突出部の下面を前記接地板上に当接させると共に、前記接触片を前記接地板上に弾接させたことを特徴とする遊技機。
【請求項２】
請求項１の記載において、前記接触片が前記板ばねに片持ち状に形成されていると共に、前記差し込み体に前記接触片の自由端側を包囲する収納凹部が設けられており、前記前面扉の開放時に、前記接触片の自由端側が前記収納凹部の内底面に弾接して位置規制されていることを特徴とする遊技機。
【発明の詳細な説明】
【技術分野】
【０００１】
本発明は、遊技機本体に対し前面扉がヒンジ機構を介して開閉可能に軸支された遊技機に係り、特に、前面扉が自重で下方にへたるのを防止する垂れ防止構造に関するものである。
【背景技術】
【０００２】
遊技機の一例であるパチンコ機は、遊技場の島設備に設置される縦長方形状の機枠と、この機枠にヒンジを介して扉状に開閉可能に取り付けられた本体枠（遊技機本体）と、この本体枠の前面に別のヒンジを介して開閉可能に取り付けられた前面扉とを備えており、本体枠の内側には遊技盤や発射装置等が収容されている。遊技盤はガイドレール等によって区画形成された遊技領域を有しており、この遊技領域には可変表示装置や始動入賞口、一般入賞口、アタッカー装置、遊技釘、風車、アウト口等が設けられている。本体枠の前面には前面扉の開放端（反ヒンジ側）を施錠／開錠する施錠装置が設けられており、常態では、本体枠に対して前面扉の開放端は施錠されている。前面扉の中央部には遊技盤の盤面を臨む開口が設けられており、この開口は透明板によって塞がれている。また、前面扉には開口を包囲するように電飾部品やスピーカ等の演出装置が設けられており、前面扉の下部には遊技球を収容する受皿や発射装置の発射強度を調整する操作ハンドル等が設けられている。
【０００３】
このように概略構成されたパチンコ機では、通常、本体枠が機枠に対して閉じられていると共に、前面扉も本体枠に対して閉じられているため、何人も内部の遊技盤や電子機器等に触れることができないようになっている。ただし、遊技盤に発生した球詰まり等を解消するために前面扉を開放することがあり、その場合、前面扉はヒンジを中心に本体枠に対して回動する。ここで、前面扉には演出装置や操作ハンドル等の各種部品が設けられているため、前面扉の総重量がかなり大きなものになることがあり、そのような場合は、前面扉の反ヒンジ側が経年的に下方へ下がる「へたり」という現象を生じ易くなる。
【０００４】
そこで、従来より、前面扉の反ヒンジ側の背面にＬ字型金具からなる差し込み部材を取り付けると共に、遊技機本体の前面に断面Ｌ字型の受け部材を取り付け、前面扉の閉鎖時に差し込み部材の水平方向に延びる突出片を受け部材の支持板上に当接させることにより、前面扉の反ヒンジ側が自重で下方へ下がらないようにした遊技機（スロットマシン）が提案されている（例えば、特許文献１参照）。かかる従来技術では、開放状態の前面扉を遊技機本体に対して閉じていくと、差し込み部材の突出片が支持板の上面を摺動しながら受け部材の奥側へと導かれるため、前面扉の反ヒンジ側に作用する下方への動きが受け部材によって規制され、前面扉が自重で下方へ垂れてしまうことを防止することができる。
【先行技術文献】
【特許文献】
【０００５】
【特許文献１】特開２００５−２９６５４２号公報
【発明の概要】
【発明が解決しようとする課題】
【０００６】
ところで、特許文献１に開示された従来技術では、前面扉の背面側に取り付けられた差し込み部材と遊技機本体の前面側に取り付けられた受け部材とが両方とも金属材料からなるため、前面扉を遊技機本体に対して繰り返し開閉動作すると、差し込み部材と受け部材の金属同士の摩擦によって両者の摺動箇所が比較的短期間で摩耗してしまい、その結果生じる摺動面の荒れや摩耗粉に起因して前面扉をスムーズに開閉しにくくなるという問題がある。なお、差し込み部材と受け部材が金属同士の摺動になるのを避けるために、差し込み部材と受け部材のいずれか一方または両方を合成樹脂の成形品とすることも考えられるが、その場合、静電気を外部に逃がすためのアース構造が煩雑になるという別の問題が発生する。
【０００７】
すなわち、一般的に前面扉の外装体は絶縁性の合成樹脂で成形され、このような外装体の内部に静電気の影響を受け易い種々の電機部品が収納されている関係上、前面扉に発生または帯電した静電気を所望の導電経路を介して遊技機本体側にアースする必要がある。ただし、前面扉はヒンジ機構を介して遊技機本体に開閉可能に軸支されており、前面扉が遊技機本体に対峙するのは閉鎖時だけであるため、上記したように差し込み部材と受け部材の少なくとも一方を合成樹脂で成形した場合、前面扉に設けた導電板等に接続したリード線をヒンジを経由して遊技機本体のグランド端子に接続しなければならず、かかるリード線の引き回しによってスペース効率が悪化したりメンテナンス作業が煩雑になるという問題が発生する。
【０００８】
本発明は、このような従来技術の実情に鑑みてなされたもので、その目的は、アース構造を簡素化できると共に前面扉の自重による垂れを防止しつつ開閉動作をスムーズに行うことができる遊技機を提供することにある。
【課題を解決するための手段】
【０００９】
上記の目的を達成するために、本発明は、下部前面側に受け部材が設けられた遊技機本体と、下部背面側に垂れ防止部材が設けられた前面扉とを備え、前記前面扉が前記遊技機本体の前方にヒンジ機構を介して開閉可能に軸支されると共に、この前面扉の閉鎖時に前記垂れ防止部材が前記受け部材に支持されるようになっている遊技機において、前記垂れ防止部材が突出部を有する合成樹脂製の差し込み体と接触片を有する金属製の板ばねとで構成され、前記接触片を前記突出部の底面に設けた開口から下方へ突出させると共に、前記受け部材がグランドに接続された板金製の接地板からなり、前記前面扉の閉鎖時に、前記突出部の下面を前記接地板上に当接させると共に、前記接触片を前記接地板上に弾接させるようにした。
【００１０】
このように構成された遊技機では、前面扉が遊技機本体に対して閉じられているとき、前面扉の下部背面側に設けた差し込み体の突出部が遊技機本体の下部前面側に設けた受け部材（接地板）上に当接するため、前面扉が自重で下方に垂れることを確実に防止できる。そして、前面扉を遊技機本体に対して開閉動作するとき、合成樹脂で成形された突出部の下面が板金製の受け部材上を摺動するため、両者の摺動が滑らかになって前面扉をスムーズに開閉動作することが可能になる。さらに、前面扉の閉鎖時に突出部の底面から下方へ突出する板ばねの接触片が受け部材（接地板）上に弾接するため、前面扉に発生または帯電した静電気を板ばねと受け部材を介して遊技機本体側にアースすることができ、前面扉の垂れ防止構造を利用したコンパクトで簡素化されたアース構造を実現できる。
【００１１】
上記の構成において、接触片が板ばねに片持ち状に形成されていると共に、差し込み体に接触片の自由端側を包囲する収納凹部が設けられており、前面扉の開放時に、接触片の自由端側が収納凹部の内底面に弾接して位置規制されるようになっていると、前面扉を開放動作したときに、接触片の自由端側が作業者等に引っ掛かって不用意に変形してしまうことを防止できる。
【発明の効果】
【００１２】
本発明の遊技機では、前面扉に設けた合成樹脂製の差し込み体と遊技機本体に設けた板金製の受け部材（接地板）とを用いて前面扉の垂れを防止するようになっており、前面扉を遊技機本体に対して開閉動作するとき、差し込み体の突出部と接地板との摺動が金属同士に比べて滑らかになるため、前面扉をスムーズに開閉動作することができる。また、前面扉の閉鎖時に突出部の底面から下方へ突出する板ばねの接触片を受け部材上に弾接させたので、前面扉に発生または帯電した静電気を板ばねと受け部材を介して遊技機本体側にアースすることができ、前面扉の垂れ防止構造を利用したコンパクトで簡素化されたアース構造を実現できる。
【図面の簡単な説明】
【００１３】
【図１】本発明の実施形態例に係るパチンコ機の外観斜視図である。
【図２】図１に示すパチンコ機の前面扉を開けた状態の斜視図である。
【図３】図１に示すパチンコ機の背面図である。
【図４】該パチンコ機に備えられる垂れ防止部材の斜視図である。
【図５】該垂れ防止部材の分解斜視図である。
【図６】該垂れ防止部材と受け部材の関係を示す動作説明図である。
【発明を実施するための形態】
【００１４】
発明の実施の形態について図面を参照して説明すると、図１に示すように、本発明の実施形態例に係るパチンコ機（遊技機）Ｐは、遊技場の島設備に設置される縦長方形状の機枠１と、機枠１に扉状に開閉自在に取り付けられた本体枠（遊技機本体）２と、本体枠２の前面に扉状に開閉自在に取り付けられた前面扉３等を備えている。
【００１５】
図２に示すように、機枠１の左側枠部には上側軸受け体５と下側軸受け体（図示省略）が固着されており、この下側軸受け体よりも下方の左下隅部には大型のスピーカ６が配設されている。一方、本体枠２の左側枠部の上下両端には第１ピン（図示省略）が設けられており、これら両第１ピンを上側軸受け体５と下側軸受け体に軸支することによって、本体枠２を機枠１に対して開閉自在に支持する第１ヒンジ機構が構成されている。
【００１６】
図示省略されているが、本体枠２の上部の収納部２ａには遊技盤が収納されており、この遊技盤はガイドレール等によって区画形成された遊技領域を有している。なお、遊技領域には可変表示装置や始動入賞口、一般入賞口、アタッカー装置、遊技釘、風車、アウト口等が設けられている。収納部２ａよりも下方の本体枠２は前面扉３によって覆い隠される設置部２ｂとなっており、この設置部２ｂ内の下部中央には遊技球を遊技領域に向けて発射する発射装置１０が配設されている。
【００１７】
本体枠２の右側枠部は第１ヒンジ機構と反対側の自由端側であり、この右側枠部にはシリンダ錠１１ａを有する施錠装置１１が設置されている。図示せぬが、この施錠装置１１は本体枠２の裏面に配置された後部施錠杆と本体枠２の前面に配置された前部施錠杆とを備えており、常態では、施錠装置１１の後部施錠杆により本体枠２が機枠１に対して施錠されると共に、前部施錠杆により前面扉３が本体枠２に対して施錠されている。そして、シリンダ錠１１ａの鍵穴に図示せぬ鍵を差し込み、この鍵を一方向（例えば時計回り）へ回動すると、後部施錠杆が上動して本体枠２が開錠されるようになっている。また、シリンダ錠１１ａの鍵穴に差し込んだ鍵を他方向（反時計回り）へ回動すると、前部施錠杆が上動して前面扉３が開錠されるようになっている。さらに、本体枠２の自由端側の下部前面側には受け部材７がねじ止め固定されており、詳細については後述するが、この受け部材７と前面扉３の下部背面側に固定された垂れ防止部材８とにより、閉鎖状態の前面扉３が自重で下方へ垂れないようになっている。受け部材７はＬ字状に折り曲げ形成された金属板からなり、この金属板を図示せぬグランド端子に接続することにより、受け部材７は接地板として機能する。なお、受け部材７は本体枠２の前後方向へ延びるガイド部７ａを有しており、このガイド部７ａは前方に向かって僅かに下り勾配で傾斜している（図６参照）。
【００１８】
前面扉３の左側枠部の上下両端には第２ピン（図示省略）が設けられており、これら両第２ピンを本体枠２の左側枠部に突設した上下の支持板９に軸支することによって、前面扉３を本体枠２に対して開閉自在に支持する第２ヒンジ機構が構成されている。
【００１９】
図１に戻り、前面扉３には遊技盤の盤面に対向する大きな開口３ａが開設されており、この開口３ａはガラスやプラスチック等からなる透明板４によって塞がれている。前面扉３の前面上部には比較的小型のスピーカ１２が左右に１個ずつ配設されており、これらスピーカ１２と前述した大型のスピーカ６とによって遊技に関する様々な効果音を発するようになっている。また、前面扉３の前面下部には、遊技盤の裏面に配設された賞球払出装置（後述する）から払い出された遊技球を収容する上段受皿１３と、上段受皿１３から排出された遊技球を収容する下段受皿１４と、遊技者による押下操作が可能なプッシュ釦１５とが設けられており、上段受皿１３の右側方には発射装置１０の発射強度を調整するための操作ハンドル１６が配設されている。
【００２０】
図３に示すように、このパチンコ機Ｐの背面側には、遊技に関する主要な処理を行う主制御基板１７と、主制御基板１７からの指令を受けて可変表示装置やスピーカ等の各種装置を制御する副制御基板１８と、前述した賞球払出装置１９と、主制御基板１７からの指令を受けて賞球払出装置１９を制御する払出制御基板２０と、操作ハンドル１６の回動量に応じて発射装置１０の作動を制御する発射制御基板２１と、大当たり回数等の各種情報を遊技場のホールコンピュータに出力する外部端子基板２２等が設けられている。
【００２１】
図４と図５に示すように、前記垂れ防止部材８は、合成樹脂の成形品からなる差し込み体２０と、リン青銅等の弾性金属板からなる板ばね２１とで構成されており、板ばね２１を差し込み体２０に組み込むことで両者は一体化されるようになっている。差し込み体２０には、前面扉３の背面にねじ止め固定される保持板部２０ａと、保持板部２０ａの中央部から後方へ向かって先窄まり形状に延びる突出部２０ｂとが形成されており、保持板部２０ａの下部中央にはボス２０ｃが突設されている。突出部２０ｂは保持板部２０ａ側を開放した中空構造となっており、この突出部２０ｂの底面には矩形状の開口２０ｄが穿設されている。また、突出部２０ｂの底面入口には収納凹部２０ｅが形成されており、この収納凹部２０ｅは保持板部２０ａから開口２０ｃに至る間に延在している。さらに、図６に示すように、突出部２０ｂの内部奥側には上下方向へ板状に延びるリブ２０ｆが形成されており、このリブ２０ｆの下端と開口２０ｄとの間には隙間が確保されている。
【００２２】
板ばね２１には、下端をＬ字状に折り曲げた取付板部２１ａと、取付板部２１ａの上端から直交する方向へ延びる平板部２１ｂと、平板部２１ｂから片持ち梁状に下方へ突出する接触片２１ｃとが形成されており、接触片２１ｃは平板部２１ｂを固定端として略Ｖ字状にフォーミングされている。取付板部２１ａには位置決め孔２１ｄが穿設されており、この位置決め孔２１ｄを差し込み体２０のボス２０ｃに挿入することにより、取付板部２１ａを保持板部２０ａの所定位置に位置決めできるようになっている。平板部２１ｂは差し込み体２０の突出部２０ｂの内部に配置され、その先端部をリブ２０ｆの下端に差し込むことにより、平板部２１ｂは突出部２０ｂ内の所定位置に位置決めされるようになっている。接触片２１ｃは開口２０ｄから下方へ突出しており、その自由端側を収納凹部２０ｅの内底面に弾接させることにより、開口２０ｄから突出する接触片２１ｃの突出量が規定されるようになっている。
【００２３】
このような形状の板ばね２１を差し込み体２０に組み込む場合は、平板部２１ｂを突出部２０ｂの開放端から内部に挿入すると共に、位置決め孔２１ｄをボス２０ｃに一致させた状態で取付板部２１ａを保持板部２０ａに重ね合わせれば良い。これにより、平板部２１ｂの先端部がリブ２０ｅの下端に入り込んで位置決めされると共に、接触片２１ｃが開口２０ｄを挿通して突出部２０ｂの下方へ突出した状態となり、図４に示すように、差し込み体２０と板ばね２１が一体化された垂れ防止部材８のユニット品を得ることができる。そして、かかるユニット品の状態で差し込み体２０の保持板部２０ａと板ばね２１の取付板部２１ａとを前面扉３の背面に複数本のねじ（図示省略）を用いて固定することにより、図２に示すように、垂れ防止部材８が前面扉３の背面から突出して本体枠２の前面に固定された受け部材７と対峙する。その際、前面扉３の背面側には開口３ａを包囲するように導体板３０が取り付けられており、垂れ防止部材８を前面扉３の背面に固定することによって、板ばね２１の取付板部２１ａが導体板３０の一部に接続するようになっている。
【００２４】
本実施形態例に係るパチンコ機Ｐにおいて、常態では、本体枠２が機枠１に対して閉じられていると共に、前面扉３が本体枠２に対して閉じられているため、何人も内部の遊技盤や電子機器類に触れることができないようになっている。この場合、図６（ｃ）に示すように、前面扉３の下部背面側に固定した垂れ防止部材８のうち、合成樹脂で成形された差し込み体２０の突出部２０ｂが本体枠２の下部前面側に固定した受け部材７のガイド部７ａ上に当接しているため、前面扉３が自重で下方に垂れることを確実に防止できる。また、かかる前面扉３の閉鎖状態において、突出部２０ｂの開口２０ｄから下方へ突出する板ばね２１の接触片２１ｃが受け部材７のガイド部７ａ上に弾接しているため、前面扉３に発生または帯電した静電気を導体板３０から板ばね２１と受け部材（接地板）７を介して本体枠２側にアースすることができる。しかも、板ばね２１の平板部２１ｂに片持ち梁状に形成された接触片２１ｃは、ガイド部７ａに当接することで収納凹部２０ｅの内底面から離れる方向へ撓ませられるため、その反力を受けて接触片２１ｃは受け部材７のガイド部７ａ上に大きな接触圧で弾接した状態となる。したがって、遊技者が前面扉３を叩いたり揺すったりして大きな外力が作用したとしても、その外力によって板ばね２１の接触片２１ｃが受け部材７のガイド部７ａから離反する虞は少なく、長期に亘って確実なアース経路を確保することができる。
【００２５】
そして、遊技盤に発生した球詰まり等を解消するために、前面扉３を本体枠２に対して開放すると、図６（ｂ）から図６（ａ）に示すように、その開放動作の初期段階で突出部２０ｂの下面が受け部材７のガイド部７ａ上を手前側へ摺動した後、垂れ防止部材８は受け部材７から離反する。このとき、合成樹脂で成形された突出部２０ｂの下面が金属板からなる受け部材７のガイド部７ａ上を摺動するため、両者の摺動が滑らかになって前面扉３をスムーズに開放動作することができる。また、板ばね２１の接触片２１ｃは受け部材７から離れることによって開口３ａから突出する向き（下方）に弾性復帰しようとするが、その場合、接触片２１ｃの自由端側が収納凹部２０ｅの内底面に当接時点で、接触片２１ｃはそれ以上移動しないように位置規制されるため、前面扉３の開放動作中に接触片２１ｃの自由端側が作業者等に引っ掛かって不用意に変形することを防止できる。
【００２６】
なお、球詰まり等の解消後に前面扉３を再び本体枠２に対して閉鎖する場合、垂れ防止部材８は上記と逆の手順を経て受け部材７に係合する。すなわち、前面扉３の閉鎖動作に伴って垂れ防止部材８が受け部材７に近付くと、まず、図６（ａ）に示すように、突出部２０ｂの先端側下面が受け部材７のガイド部７ａの手前側に乗り上げる。次いで、前面扉３をさらに閉鎖方向へ回動すると、図６（ｂ）から図６（ｃ）に示すように、突出部２０ｂの下面がガイド部７ａ上を奥側に向かって摺動すると共に、板ばね２１の接触片２１ｃがガイド部７ａに当接して弾性変形する。この場合も、合成樹脂で成形された突出部２０ｂの下面が金属板からなるガイド部７ａ上を摺動するため、両者の摺動が滑らかになって前面扉３をスムーズに閉鎖動作することができる。また、前面扉３の閉鎖状態において、板ばね２１の接触片２１ｃがガイド部７ａ上に弾接するため、前面扉３に発生または帯電した静電気を導体板３０から板ばね２１と受け部材（接地板）７を介して本体枠２側にアースすることができる。
【００２７】
以上説明したように、本実施形態例に係るパチンコ機（遊技機）Ｐでは、前面扉３が本体枠（遊技機本体）２に対して閉じられているとき、前面扉３の下部背面側に固定した垂れ防止部材（差し込み体２０と板ばね２１）８のうち、合成樹脂で成形された差し込み体２０の突出部２０ｂが本体枠２の下部前面側に固定した受け部材７のガイド部７ａ上に当接するようになっているため、前面扉３が自重で下方に垂れることを確実に防止できる。そして、前面扉３を本体枠２に対して開閉動作するとき、合成樹脂で成形された突出部２０ｂの下面が金属板からなる受け部材７のガイド部７ａ上を摺動するため、両者の摺動が金属同士に比べて滑らかになり、前面扉３をスムーズに開閉動作することができる。また、前面扉３の閉鎖状態において、突出部２０ｂの開口２０ｄから下方へ突出する板ばね２１の接触片２１ｃが受け部材７のガイド部７ａ上に弾接しているため、前面扉３に発生または帯電した静電気を導体板３０から板ばね２１と受け部材（接地板）７を介して本体枠２側にアースすることができ、前面扉３の垂れ防止構造を利用したコンパクトで簡素化されたアース構造を実現することができる。
【００２８】
また、接触片２１ｃが板ばね２１の平板部２１ｂに片持ち状に形成されていると共に、差し込み体２０に接触片２１ｃの自由端側を包囲する収納凹部２０ｅが形成されており、前面扉３の閉鎖時に、接触片２１ｃの自由端側が収納凹部２０ｅの内底面に弾接して位置規制されるようになっているため、前面扉３の開放動作中に接触片２１ｃの自由端側が作業者等に引っ掛かって不用意に変形することを防止できる。
【００２９】
なお、上記の実施形態例では、透明板４や操作ハンドル１６等が設けられた一体型の前面扉３を本体枠２に開閉可能に軸支したパチンコ機Ｐについて説明したが、前面扉を上扉と下扉の２つに分割したタイプのパチンコ機にも適用可能であり、その場合、少なくとも下扉側に上記した垂れ防止構造を適用すれば良い。
【００３０】
また、上記の実施形態例では、本発明による前面扉の垂れ防止構造をパチンコ機Ｐに適用した場合について説明したが、パチンコ機Ｐ以外の他の遊技機（例えばスロットマシン等）に適用することも可能である。
【符号の説明】
【００３１】
１  機枠
２  本体枠（遊技機本体）
３  前面扉
７  受け部材
７ａ  ガイド部
８  垂れ防止部材
１１  施錠装置
２０  差し込み体
２０ａ  保持板部
２０ｂ  突出部
２０ｃ  ボス
２０ｄ  開口
２０ｅ  収納凹部
２０ｆ  リブ
２１  板ばね
２１ａ  取付板部
２１ｂ  平板部
２１ｃ  接触片
２１ｄ  位置決め孔
３０  導体板
Ｐ  パチンコ機（遊技機）
【図１】
0005756717.tif 000002
【図２】
0005756717.tif 000003
【図３】
0005756717.tif 000004
【図４】
0005756717.tif 000005
【図５】
0005756717.tif 000006
【図６】
0005756717.tif 000007